(57)【特許請求の範囲】
【請求項１】
表面から見える模様を内部に有する装飾パネルにおいて、
透明又は半透明な薄板状の表面層と、該表面層の背後に設けられた黒色又は暗色の裏面層とからなり、
該表面層の表面視の全体又は一部であって該表面層の内部にレーザ加工により加飾点を積み上げるように配置した立体的な模様が施されていることを特徴とする装飾パネル。
【請求項２】
前記裏面層の前記表面層側の面が、微細な凹凸を有していることを特徴とする請求項１記載の装飾パネル。
【請求項３】
前記表面層にレーザ加工により立体的に模様が施された後に、前記裏面層が該表面層の背後に設けられたことを特徴とする請求項１又は請求項２記載の装飾パネル。
【請求項４】
前記表面層の背後に前記裏面層が密着して設けられた後に、前記表面層にレーザ加工により立体的に模様が施されたことを特徴とする請求項１又は請求項２記載の装飾パネル。
【請求項５】
前記表面層のレーザ加工のために照射されたレーザ光の一部が、前記裏面層にも到って、該裏面層の該表面層側の面に微細な凹凸を形成したことを特徴とする請求項４記載の装飾パネル。
【請求項６】
表面から見える模様を有する装飾パネルの加飾方法において、
該装飾パネルが、透明又は半透明な薄板状の表面層と、該表面層の背後に設けられた黒色又は暗色の裏面層とからなり、
該表面層の表面視の全体又は一部であって該表面層の内部にレーザ加工により立体的に模様を施すことを特徴とする装飾パネルの加飾方法。
【請求項７】
前記裏面層の前記表面層側の面が、微細な凹凸を有していることを特徴とする請求項６記載の装飾パネルの加飾方法。
【請求項８】
前記表面層にレーザ加工により立体的に模様が施された後に、前記裏面層が該表面層の背後に設けることを特徴とする請求項６又は請求項７記載の装飾パネルの加飾方法。
【請求項９】
前記表面層の背後に前記裏面層が密着して設けられた後に、前記表面層にレーザ加工により立体的に模様を施すことを特徴とする請求項６又は請求項７記載の装飾パネルの加飾方法。
【請求項１０】
前記表面層のレーザ加工のために照射されたレーザ光の一部が、前記裏面層にも到って、該裏面層の該表面層側の面に微細な凹凸を形成することを特徴とする請求項９記載の装飾パネルの加飾方法。
【発明の詳細な説明】
【技術分野】
【０００１】
本発明は、表面から見える模様を内部に有する装飾パネル及び装飾パネルの加飾方法に関する。
【背景技術】
【０００２】
従来より、車両の内装や外装等に用いられる薄板状で、その表面から見える模様を有する装飾パネル及びその装飾パネルの加飾方法が、さまざま提案されている。例えば、特許文献１の車両用外装品は、表面側の透明な基材層の紙面側の基材層とからなり、着色層は、レーザ光の照射により形成された多数の貫通孔を有し、この貫通孔を、基材層の反意匠面の部位によって密度が異なるように形成することにより、所定の濃淡模様を、外部から基材層を介して視認できるように構成したものである。
【先行技術文献】
【特許文献】
【０００３】
【特許文献１】特開２００５−８８６５２号公報
【発明の概要】
【発明が解決しようとする課題】
【０００４】
しかしながら、従来の車両用外装品では、基材層の後方に設けられた着色層に、平面的に配置された貫通孔をレーザ光によって形成して、所定の濃淡模様を作り出しているに過ぎず、模様自体は平坦で、立体的に視認できる模様を形成させることはできない。
【０００５】
本発明は、このような事情に鑑みてなされたもので、表面層の模様が立体的に見せかけているのではなく実際に立体的なので、真に立体感を持ち、且つ表面層の背後に黒色又は暗色の裏面層を設けることで、立体的な加飾を一段と立体的に見せることが可能な装飾パネル及び装飾パネルの加飾方法を提供することにある。
【課題を解決するための手段】
【０００６】
請求項１記載の装飾パネルは、透明又は半透明な薄板状の表面層と、表面層の背後に設けられた黒色又は暗色の裏面層とからなり、表面層の表面視の全体又は一部であって表面層の内部にレーザ加工により加飾点を積み上げるように配置した立体的な模様が施されていることを特徴とする。
【０００７】
請求項２記載の装飾パネルは、裏面層の表面層側の面が、微細な凹凸を有していることを特徴とする。
【０００８】
請求項３記載の装飾パネルは、表面層にレーザ加工により立体的に模様が施された後に、裏面層が表面層の背後に設けられたことを特徴とする。
【０００９】
請求項４記載の装飾パネルは、表面層の背後に裏面層が密着して設けられた後に、表面層にレーザ加工により立体的に模様が施されたことを特徴とする。
【００１０】
請求項５記載の装飾パネルは、表面層のレーザ加工のために照射されたレーザ光の一部が、裏面層にも到って、裏面層の表面層側の面に微細な凹凸を形成したことを特徴とする。
【００１１】
請求項６記載の装飾パネルの加飾方法は、装飾パネルが、透明又は半透明な薄板状の表面層と、表面層の背後に設けられた黒色又は暗色の裏面層とからなり、表面層の表面視の全体又は一部であって表面層の内部にレーザ加工により立体的に模様を施すことを特徴とする。
【００１２】
請求項７記載の装飾パネルの加飾方法は、裏面層の表面層側の面が、微細な凹凸を有していることを特徴とする。
【００１３】
請求項８記載の装飾パネルの加飾方法は、表面層にレーザ加工により立体的に模様が施された後に、裏面層が表面層の背後に設けることを特徴とする。
【００１４】
請求項９記載の装飾パネルの加飾方法は、表面層の背後に裏面層が密着して設けられた後に、表面層にレーザ加工により立体的に模様を施すことを特徴とする。
【００１５】
請求項１０記載の装飾パネルの加飾方法は、表面層のレーザ加工のために照射されたレーザ光の一部が、裏面層にも到って、裏面層の表面層側の面に微細な凹凸を形成することを特徴とする。
【発明の効果】
【００１６】
本願の発明によれば、表面層の模様が立体的に見せかけているのではなく実際に立体的なので、真に立体感を持ち、且つ表面層の背後に黒色又は暗色の裏面層を設けることで、立体的な加飾を一段と立体的に見せることが可能である。
【図面の簡単な説明】
【００１７】
【図１】本発明に係る装飾パネルの一例を示す説明図である。
【図２】同装飾パネルの加飾状態を示す説明図である。
【図３】同装飾パネルの裏面層の形態を示す説明図である。
【図４】本発明に係る装飾パネルの他の例を示す説明図である。
【図５】図４のＡ−Ａ’線矢視端面を示す説明図である。
【発明を実施するための形態】
【００１８】
以下、本発明の形態について図面を参照しながら具体的に説明する。図１は、本発明に係る装飾パネルの一例を示す説明図である。図２は、同装飾パネルの加飾状態を示す説明図である。図３は、同装飾パネルの裏面層の形態を示す説明図である。図４は、本発明に係る装飾パネルの他の例を示す説明図である。図５は、図４のＡ−Ａ’線矢視端面を示す説明図である。
【００１９】
図に示す装飾パネル１〜３は、車両の内装や外装等に用いられる薄板状で、その表面から見える模様を有する表面から見える模様を内部に有する板材である。装飾パネル１〜３は、透明又は半透明な薄板状の表面層１０，２０と、表面層１０，２０の背後に設けられた黒色又は暗色の裏面層１６，１８，２６とからなり、表面層１０，２０の表面視の全体又は一部であって表面層１０，２０の内部にレーザ加工により立体的に模様が施されている。
【００２０】
装飾パネル１〜３の表面層１０，２０の立体的な模様は、具体的には、表面層１０，２０の内部にレーザ光を照射して、表面層１０，２０の内側に点状や線状のクラックである加飾点１２，１４，２２，２４を発生させることにより、立体的な模様を形成させている。具体的には、装飾パネル１では、縦縞模様と砂模様状の２種類の模様が表面層１０に加飾されている。縦縞模様の部分は、加飾点１２を表面視縦縞になるように規則正しく並列して積み上げたように設けている。他方、砂模様状の分は、加飾点を不規則に密集させて設けている。このように、いずれの模様も、表面層１０に平面的に配置して表面視で立体的に見えるようにしているのではなく、加飾点１２，１４自体が立体的に配置され、模様が立体的に設けられている。尚、装飾パネル２も表面層１０は、装飾パネル１と同様である。
【００２１】
また、装飾パネル１，２は、加飾が表面層１０のほぼ全体に対してなされているが、加飾が一部でもよく、装飾パネル３では、Ａという文字の模様とその文字を囲むような枠の模様が表面層２０に加飾されている。文字の模様も枠の模様も、加飾点２２，２４をそれぞれの模様になるように立体的に積み上げて設けている。このように、いずれの模様も、表面層２０に平面的に配置して表面視で立体的に見えるようにしているのではなく、加飾点２２，２４自体が立体的に配置され、模様が立体的に設けられている。尚、模様の形状は任意であり、加飾点１２，１４，２２，２４の大きさや量や形状を調整することで、より立体感の増した模様を作り出すことが可能である。
【００２２】
表面層１０，２０や裏面層１６，１８，２６や加色するレーザについては、本願発明の内容を実現可能な範囲であればよいが、装飾パネル１〜３の表面層１０，２０は、例えば、アクリル、ＰＰ（ポリプロピレン）、ＡＢＳ、ポリカーボネート等の樹脂材で、透明度（半透明の範囲）は、人間の感度が最も高い緑の光（５３２ｎｍ）の透過度が９９．８％〜５０％で、厚みは、４ｍｍ〜０．５ｍｍが、加飾等には好ましい。尚、透明又は半透明であれば、表面層１０，２０に色があっても良い。
【００２３】
また、加飾に用いるレーザは、ＹＡＧレーザ、ＹＶ０４レーザ、ファイバレーザ、ディスクレーザ等で、短い時間の間にレーザ光を発振させることが可能なフェムト秒レーザ、ピコ秒レーザ、ナノ秒レーザ、マイクロ秒レーザ等である。そして、波長的には、５３２ｎｍや５１５ｎｍを主な波長として、４００ｎｍ〜８００ｎｍ 、１０６４ｎｍ及び１０３０ｎｍも使用でき、４００ｎｍ〜１１００ｎｍの範囲が使用可能である。
【００２４】
装飾パネル１〜３の表面層１０，２０の背後には、黒色又は暗色の裏面層１６，１８，２６が設けられている。この裏面層１６，１８，２６は、黒色又は暗色の板材であっても、シール材のような薄いものを貼付してもよいし、樹脂製塗料のような塗装を施して層を作るようにしてもよい。裏面層１６や裏面層２６は、樹脂製で厚みのある例であり、裏面層１８は、塗装による膜状の例である。
【００２５】
以上のような装飾パネル１〜３によれば、表面層１０，２０の模様が立体的に見せかけているのではなく実際に立体的なので、真に立体感をもった装飾パネルを得ることができる。また、表面層１０，２０の背後に黒色又は暗色の裏面層１６，１８，２６が設けられていることで、立体的な加飾を一段と立体的に見せることが可能である。
【００２６】
尚、裏面層１６，２６については、表面層１０，２０側の面に微細な凹凸を設けるようにすることで、表面層１０，２０側からの光を分散し、立体的な加飾を一段と立体的に見せることが可能である。
【００２７】
また、表面層１０，２０の加飾のタイミングであるが、表面層１０，２０に予めレーザ加工で加飾を行った後に、裏面層１６，１８，２６を設けるようにしてもよいし、表面層１０，２０に裏面層１６，１８，２６を設けた上でレーザ加工で加飾を行うようにしてもよい。表面層１０，２０に予めレーザ加工で加飾を行う場合には、その後、裏面層１６，１８，２６を任意に選択して接着なり塗装で設ければよく、組み合わせの自由度が増す。
【００２８】
他方、表面層１０，２０に裏面層１６，１８，２６を設けた上でレーザ加工で加飾を行うようにすれば、加飾作業の効率化を図ることが容易である。また、表面層１０，２０のレーザ加工のために照射されたレーザ光の一部を、裏面層１６，２６にも到達させて、裏面層１６，２６の表面層１０，２０側の面に微細な凹凸を形成させることも可能になる。
【産業上の利用可能性】
【００２９】
以上のように、本発明によれば、表面層の模様が立体的に見せかけているのではなく実際に立体的なので、真に立体感を持ち、且つ表面層の背後に黒色又は暗色の裏面層を設けることで、立体的な加飾を一段と立体的に見せることが可能な装飾パネル及び装飾パネルの加飾方法を提供することができる。
【符号の説明】
【００３０】
１・・・・装飾パネル
２・・・・装飾パネル
３・・・・装飾パネル
１０・・・表面層
１２・・・加飾点
１４・・・加飾点
１６・・・裏面層
１８・・・裏面層
２０・・・表面層
２２・・・加飾点
２４・・・加飾点
２６・・・裏面層
【図１】
0006613148.tif 000002
【図２】
0006613148.tif 000003
【図３】
0006613148.tif 000004
【図４】
0006613148.tif 000005
【図５】
0006613148.tif 000006